(57)【要約】  【課題】システムキッチンの最下段の引き出しスペースに設置される冷蔵庫において、シンク下を有効に活用し、かつ組込性を高める。  【解決手段】システムキッチンにおいて上部にシンク１１を配置するとき、最下段の収納スペースに冷蔵庫を設置する場合、システムキッチン組み込み式冷蔵庫１３のケース１５をシステムキッチン本体に締結金具にて固定することで、システムキッチン奥面にシンク１１の給排水管がある場合でも最下段の空間の奥行き収納スペースを有効活用できるとともに、組込性を高めることができる。【選択図】図１
2006138581.tif 000002
【特許請求の範囲】
【請求項１】
システムキッチンの最下段の引き出しスペースに設置される冷蔵庫であって、システムキッチンの底板にシステムキッチン組み込み式冷蔵庫を取り付けたことを特徴とするシステムキッチン組み込み式冷蔵庫。
【請求項２】
システムキッチンとシステムキッチン組み込み式冷蔵庫とシステムキッチン組み込み式冷蔵庫のケースとは、締結金具にて固定したことを特徴とする請求項１に記載のシステムキッチン組み込み式冷蔵庫。
【請求項３】
締結金具は、側面近傍に設けていることを特徴とする請求項２に記載のシステムキッチン組み込み式冷蔵庫。
【請求項４】
システムキッチン組み込み式冷蔵庫のケースの内側にガイドレールを設けたことを特徴とする請求項１から３のいずれか一項に記載のシステムキッチン組み込み式冷蔵庫。
【請求項５】
システムキッチン組み込み式冷蔵庫の底面に傾き防止用スペーサーを設けたことを特徴とする請求項１から４のいずれか一項に記載のシステムキッチン組み込み式冷蔵庫。
【発明の詳細な説明】
【技術分野】
【０００１】
本発明はシステムキッチンの一区画の下部空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（例えば、特許文献１参照）。
【０００４】
図８は、特許文献１に記載されたシステムキッチン用の保冷庫を示すものである。図８に示すように、台所収納体の組付け空間１に組み込まれる外ケース２に出し入れされる容器状の収納体３と，ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、シンク下に設置した場合、奥側にシンク用の給排水管がある為、シンク下の奥行きのある収納部となる課題を有していた。
【０００６】
本発明は、上記従来の課題を解決するもので、システムキッチンのシンク下部の、奥側に給排水管がある空間に収納できるよう構成した冷蔵庫を提供することを目的とする。
【課題を解決するための手段】
【０００７】
上記従来の課題を解決するために、本発明の冷蔵庫は、システムキッチンの最下段の引き出しスペースに設置される冷蔵庫であって、前記冷蔵庫は、システムキッチンとシステムキッチン組み込み式冷蔵庫とシステムキッチン組み込み式冷蔵庫のケースとが締結金具にて取り付けられ、システムキッチン組み込み式冷蔵庫の左右の内側壁下部にはガイドレールを備え、底面にはスペーサーを設けているものである。
【０００８】
これによって、システムキッチンの奥面に給排水配管のある最下段の空間においても奥行き方向の収納スペースを確保できることとしたものである。
【発明の効果】
【０００９】
本発明の冷蔵庫は、システムキッチン内の限られた空間において、システムキッチンの枠内に簡単にビルトイン設置でき、また奥行き方向の収納量を確保することができる。
【発明を実施するための最良の形態】
【００１０】
請求項１に記載の発明は、システムキッチンの最下段の引き出しスペースに設置される冷蔵庫であって、システムキッチンの底板にシステムキッチン組み込み式冷蔵庫を取り付けたものであり、システムキッチンの奥面に給排水配管のある最下段の空間においても奥行き方向の収納スペースを確保することができる。
【００１１】
請求項２に記載の発明は、請求項１に記載の発明において、システムキッチンとシステムキッチン組み込み式冷蔵庫とシステムキッチン組み込み式冷蔵庫のケースとは、締結金具にて固定したものであり、システムキッチンとの固定を確実に簡潔に正確に行うことができ、システムキッチン組み込み式冷蔵庫の化粧パネルとシステムキッチンとの位置決めができる。
【００１２】
請求項３に記載の発明は、請求項２に記載の発明において、締結金具は、側面近傍に設けているものであり、システムキッチン組み込み式冷蔵庫に掛かる荷重を抑えることができる。
【００１３】
請求項４に記載の発明は、請求項１から３のいずれか一項に記載の発明において、システムキッチン組み込み式冷蔵庫のケースの内側にガイドレールを設けたものであり、容易にシステムキッチン組み込み式冷蔵庫をケースに入れることができる。また、床に直接システムキッチン組み込み式冷蔵庫の底面が当たらない事で、床の傷付き防止ができる。
【００１４】
請求項５に記載の発明は、請求項１から４のいずれか一項に記載の発明において、システムキッチン組み込み式冷蔵庫の底面に傾き防止用スペーサーを設けたものであり、システムキッチン組み込み式冷蔵庫の傾きを防止することができる。
【００１５】
以下、本発明の実施の形態について、図面を参照しながら説明する。なお、実施の形態によってこの発明が限定されるものではない。
【００１６】
（実施の形態１）
図１は、本発明の実施の形態１におけるシステムキッチン組立時の冷蔵庫の斜視図であり、システムキッチンは奥行き・幅・高さなどで様々な種類があり、調理などをするワークトップ９はシステムキッチンの外枠の上部に構成されており、ワークトップ９にはシンク１１、その下に引き出し収納スペース１２、その下に本発明のシステムキッチン組み込み式冷蔵庫１３とシステムキッチン組み込み式冷蔵庫のケース１５とが締結金具１８にて取り付けられ、システムキッチン組み込み式冷蔵庫１３の前面には、化粧パネル１４が構成されている。このような構成をすることにより、システムキッチンの外観を損なわずにシステムキッチン組み込み式冷蔵庫１３を組み込むことができる。
【００１７】
図２は同実施の形態のシステムキッチン組み込み式冷蔵庫の収納部を引き出したときの斜視図であり、システムキッチン組み込み式冷蔵庫１３は、システムキッチン組み込み式冷蔵庫のケース１５とシステムキッチン組み込み式冷蔵庫１３にて構成されている。システムキッチン組み込み式冷蔵庫のケース１５の内側にはガイドレール１７があり、簡易にシステムキッチン組み込み式冷蔵庫１３をシステムキッチン組み込み式冷蔵庫のケース１５に入れることができ、床に直接システムキッチン組み込み式冷蔵庫１３の底面が当たらない構造になっている。
【００１８】
図３は同実施の形態のシステムキッチンの断面図であり、システムキッチン本体の底板１９とシステムキッチン組み込み式冷蔵庫のケース１５とシステムキッチン組み込み式冷蔵庫の天板２０とは締結金具１８にて取り付けられていることにより、システムキッチンとの位置を固定することができ、また、システムキッチンとシステムキッチン組み込み式冷蔵庫１３の化粧パネル１４との位置決めができる。また、締結金具１８はシステムキッチンの側面に近い位置に設け、システムキッチン組み込み式冷蔵庫１３の底面にはスペーサー１０が設けられていることにより、システムキッチン組み込み式冷蔵庫１３に掛かる負荷を抑えることができる。
【００１９】
上記構成により、システムキッチンの底板１９にシステムキッチン組み込み式冷蔵庫の天板２０が取り付けられていることにより、システムキッチンの奥面に給排水管のある最下段の空間においても奥行き方向の収納スペースを確保できる。
【００２０】
また、システムキッチンの底板１９とシステムキッチン組み込み式冷蔵庫のケース１５とシステムキッチン組み込み式冷蔵庫の天板２０とは、締結金具１８にて取り付けられていることにより、システムキッチン組み込み式冷蔵庫１３の位置をシステムキッチンに固定することができ、システムキッチン組み込み式冷蔵庫１３の前面の化粧パネル１４との位置決めができる。
【００２１】
また、本実施の形態では、締結金具１８がシステムキッチンの側面に近い位置に設けられていることにより、システムキッチン組み込み式冷蔵庫１３に掛かる負荷を抑えることができる。
【００２２】
また、本実施の形態では、システムキッチン組み込み式冷蔵庫のケース１５の内側にガイドレール１７を設けたことにより、簡易にシステムキッチン組み込み式冷蔵庫１３をケースに入れることができ、また、床に直接システムキッチン組み込み式冷蔵庫１３の底面が当たらないことで、床の傷付きを防止することができる。
【００２３】
また、本実施の形態では、システムキッチン組み込み式冷蔵庫１３の底面にスペーサー１０を設けたことにより、システムキッチン組み込み式冷蔵庫１３の傾きを防止することができる。
【産業上の利用可能性】
【００２４】
以上のように、本発明にかかる冷蔵庫は、限られた空間を有効に活用できるのでシステムキッチンなどのビルトイン機器に適用できる。
【図面の簡単な説明】
【００２５】
【図１】本発明の実施の形態１におけるシステムキッチン組立時の冷蔵庫の斜視図
【図２】本発明の実施の形態１におけるシステムキッチン組み込み式冷蔵庫を前面に引出した時の斜視図
【図３】本発明の実施の形態１におけるシステムキッチンの断面図
【図４】従来のシステムキッチン組み込み式保冷庫の斜視図
【符号の説明】
【００２６】
１０  スペーサー
１３  システムキッチン組み込み式冷蔵庫
１５  システムキッチン組み込み式冷蔵庫のケース
１７  ガイドレール
１８  締結金具
１９  システムキッチンの底板
２０  システムキッチン組み込み式冷蔵庫の天板
【図１】
2006138581.tif 000003
【図２】
2006138581.tif 000004
【図３】
2006138581.tif 000005
【図４】
2006138581.tif 000006